(57)【要約】【課題】ハードディスクを簡単に収納したり取り出すことができ、かつハードディスクを確実に保持することができるハードディスク用ケースを提供すること。【解決手段】ハードディスク用ケースは、ハードディスクを収納する内部ケースおよび内部ケースを収納する外部ケースを備え、内部ケースは外部コネクタを備えた印刷配線基板を収納し、外部コネクタと対応する開口部を備えている。内部ケース背面には外部ケースの一端に装着された飾りリング部材の固定用溝と係合してロックする固定用ノブを備えている。また、内部ケースの両側面の外側に回動可能に固着され、回動に応じてハードディスクの固定用ネジ孔に挿入される２つの突起を備えた２つの回動部材を備える。工具等を使用せずにハードディスクを簡単に収納したり取り出すことができる。【選択図】図１
0003128981.tif 000002
【実用新案登録請求の範囲】
【請求項１】
ハードディスクを収納する内部ケースおよび内部ケースを収納する外部ケースを備えたハードディスク用ケースにおいて、
前記内部ケースは、外部コネクタおよびハードディスク装置と接続するコネクタを備えた印刷配線基板を収納する収納室を備え、
かつ、前記内部ケースは前記外部コネクタと対応する開口部を備えている
ことを特徴とするハードディスク用ケース。
【請求項２】
前記外部ケースの一端に飾りリング部材が装着されていることを特徴とする請求項１に記載のハードディスク用ケース。
【請求項３】
前記飾りリング部材は前記内部ケースの固定用溝を備えていることを特徴とする請求項２に記載のハードディスク用ケース。
【請求項４】
前記内部ケースに、前記飾りリング部材の固定用溝と係合してロックする内部ケース固定用ノブを備えていることを特徴とする請求項３に記載のハードディスク用ケース。
【請求項５】
前記内部ケースは、内部ケースの両側面の外側に回動可能に固着された２つの回動部材を備え、
それぞれの回動部材は、回動に応じてハードディスクの両側面にそれぞれ設けられた固定用ネジ孔に挿入される少なくとも１つの突起を備えている
ことを特徴とする請求項１に記載のハードディスク用ケース。
【請求項６】
前記内部ケースは側面に開口部を備え、前記回動部材の突起が前記開口部を貫通してハードディスクの固定用ネジ孔に挿入されることを特徴とする請求項５に記載のハードディスク用ケース。
【請求項７】
前記回動部材は回動軸となる突起を備え、前記内部ケースは前記突起が嵌合する孔を備えていることを特徴とする請求項５に記載のハードディスク用ケース。
【請求項８】
前記内部ケースは前記開口部と反対側にフロントパネルを備えていることを特徴とする請求項１に記載のハードディスク用ケース。
【請求項９】
前記内部ケースは底部に電動ファンを備えていることを特徴とする請求項１に記載のハードディスク用ケース。
【考案の詳細な説明】
【技術分野】
【０００１】
本考案はハードディスク用ケースに関するものであり、特に工具等を使用せずにハードディスク装置を容易に着脱可能なハードディスク用ケースに関するものである。
【背景技術】
【０００２】
従来、パソコン用のハードディスク装置を収納する外付け用のハードディスク用ケースが各種提案されている。例えば下記特許文献１には、外付け式ハードディスクケースの一例が開示されている。このケースはハードディスクの発生熱を放熱蓋板より素早く外部に放出し、過熱による稼働中止または故障を防止するものである。
【特許文献１】実用新案登録第３１２５７７０号公報
【考案の開示】
【考案が解決しようとする課題】
【０００３】
上記した従来のハードディスク用ケースにおいてはハードディスクを収納、あるいは取り出す場合に、ケースのネジを外して内部のハードディスク収納ケースを取り出し、更にハードディスクを固定するネジで固定あるいは取り外す必要があり、ハードディスクの収納や取り出しが面倒であるという問題点があった。
本考案の目的は、上記した従来の問題点を解決し、簡単な構造で工具等を使用せずにハードディスクを簡単に収納したり取り出すことができ、かつハードディスクを確実に保持することができるハードディスク用ケースを提供する点にある。
【課題を解決するための手段】
【０００４】
本考案のハードディスク用ケースは、ハードディスクを収納する内部ケースおよび内部ケースを収納する外部ケースを備えたハードディスク用ケースにおいて、前記内部ケースは、外部コネクタおよびハードディスク装置と接続するコネクタを備えた印刷配線基板を収納する収納室を備え、かつ、前記内部ケースは前記外部コネクタと対応する開口部を備えていることを主要な特徴とする。
【０００５】
また、前記したハードディスク用ケースにおいて、前記外部ケースの一端に飾りリング部材が装着されている点にも特徴がある。また、前記したハードディスク用ケースにおいて、前記飾りリング部材は前記内部ケースの固定用溝を備えている点にも特徴がある。また、前記したハードディスク用ケースにおいて、前記内部ケースに、前記飾りリング部材の固定用溝と係合してロックする内部ケース固定用ノブを備えている点にも特徴がある。
【０００６】
また、前記したハードディスク用ケースにおいて、前記内部ケースは、内部ケースの両側面の外側に回動可能に固着された２つの回動部材を備え、それぞれの回動部材は、回動に応じてハードディスクの両側面にそれぞれ設けられた固定用ネジ孔に挿入される少なくとも１つの突起を備えている点にも特徴がある。
【０００７】
また、前記したハードディスク用ケースにおいて、前記内部ケースは側面に開口部を備え、前記回動部材の突起が前記開口部を貫通してハードディスクの固定用ネジ孔に挿入される点にも特徴がある。また、前記したハードディスク用ケースにおいて、前記回動部材は回動軸となる突起を備え、前記内部ケースは前記突起が嵌合する孔を備えている点にも特徴がある。
【０００８】
また、前記したハードディスク用ケースにおいて、前記内部ケースは前記開口部と反対側にフロントパネルを備えている点にも特徴がある。また、前記したハードディスク用ケースにおいて、前記内部ケースは底部に電動ファンを備えている点にも特徴がある。
【考案の効果】
【０００９】
本考案のハードディスク用ケースは、上記したような構成によって、以下のような効果がある。
（１）工具等を使用せずにハードディスクを簡単に収納したり取り出すことができる。
（２）簡単な構造で安価に製造でき、かつハードディスクを確実に保持できる。
【考案を実施するための最良の形態】
【００１０】
以下に、図面を参照して本考案の実施形態を説明する。
【実施例１】
【００１１】
図１は、本考案によるハードディスク用ケースの構成を示す斜視図である。また、図２は、内部ケースに印刷配線基板を取り付けた状態を示す斜視図である。更に、図３は、外部ケースに内部ケースを挿入した状態を示す斜視図である。
【００１２】
本考案のハードディスク用ケースは、ハードディスクを収納する内部ケース２０および内部ケースを収納する外部ケース３０を備えている。外部ケース３０は、例えばアルミニウム等の金属あるいはプラスティック製の筒状体であり、一方の端部側面には、飾りリング部材５０が２つのネジ５１によって固着されている。飾りリング部材５０はプラスティック製で、外部ケース３０の一端部を覆い、かつ外部ケース３０の内面に嵌合している。
【００１３】
内部ケース２０はプラスティック製であり、ハードディスク７０の収納スペースの後方に印刷配線基板４０を収納する収納室を備え、印刷配線基板４０は、外部コネクタ４２およびハードディスク装置と接続するコネクタを備えている。
【００１４】
内部ケース２０の背面には印刷配線基板の外部コネクタ４２と対応する開口部２０１を備えている。そして、図２、３に示されているように、基板４０を内部ケース２０に装着した場合に、印刷配線基板の外部コネクタ４２が内部ケース２０の背面の開口部２０１から露出し、ケーブル等を接続可能になる。
【００１５】
また、内部ケース２０は前面にフロントパネル２２を備えている。フロントパネル２２の周辺部は、外部ケース３０の反対側に装着された飾りリング部材５０と同一の形状であり、内部ケース２０を外部ケース３０に挿入した場合に、外部ケース３０の端部を覆うように構成されている。フロントパネル２２には電源スイッチ２２１およびリスタートスイッチ２２２が装着されている。内部ケース２０の底部には電動ファン６０が装着されている。
【００１６】
図７は、外部ケース３０への内部ケース２０の固定機構を示す断面図である。外部ケース３０の端部に装着された飾りリング部材５０は内部ケース２０の固定用溝５２を備えている。そして、内部ケース２０には、飾りリング部材５０の固定用溝５２と係合してロックする内部ケース固定用ノブ２０２、２３０を備えている。
【００１７】
内部ケースの背面２３にスライド可能に設けられたノブ２０２は内部のロック部材２３０と一体に固着されている。そして、ロック部材２３０は他端が内部ケースに係合したバネ２３１によって付勢されており、通常はロック部材２３０の先端の爪２３２が内部ケースから突出している。そして、爪２３２の背面側は図７に図示されているように斜面に形成されている。
【００１８】
内部ケース２０を外部ケース３０に挿入すると、爪２３２の斜面が飾りリング部材５０と当接し、バネ２３１に抗してロック部材２３０がスライドして、飾りリング部材５０を乗り越え、爪２３２が固定用溝５２と係合する。（図７に示した状態）
【００１９】
内部ケース２０を外部ケース３０から取り出す場合には、バネ２３１に抗してノブ２０２をスライドさせることにより、内部のロック部材２３０の先端の爪２３２が飾りリング部材５０の固定用溝５２から外れ、内部ケース２０を外部ケース３０から引き抜くことが可能となる。
【００２０】
図４は、本考案によるハードディスク用ケースの内部ケースの構成（回動部材２４を開いた状態）を示す断面図である。また、図５は、ハードディスクを収納して回動部材２４を途中まで回動させた状態を示す断面図である。更に、図６は、回動部材２４を最後まで回動させてハードディスク７０を固定した状態を示す断面図である。
【００２１】
内部ケース２０は、内部ケース２０の両側面の外側に回動可能に固着された２つの長い板状の回動部材２４を備えている。それぞれの回動部材２４は、回動に応じてハードディスク７０の両側面にそれぞれ設けられた固定用ネジ孔７１に挿入される２つの突起２７を備えている。回動部材２４の外側の形状は外部ケース３０の内面と同一の形状となっている。
【００２２】
また、回動部材２４の両端部には回動軸となる突起２０４を備え、内部ケース２０は突起２０４が嵌合する孔を備えている。内部ケース２０の側面には開口部が設けられており、回動部材２４の突起２６がこの開口部を貫通し、突起２７がハードディスク７０の固定用ネジ孔７１に挿入されるようになっている。
【００２３】
更に、回動部材２４の両端部には突起２５が設けられ、回動部材２４を内側に最後まで回動させた場合に内部ケース２０の側面に設けられた切り欠き（窪み）２０３と係合して回動部材２４を固定する。
【００２４】
内部ケース２０にハードディスクを装着する場合には、まず図４に示すように２つの回動部材２４をそれぞれ外側に開き、ハードディスク７０を収納エリアに搭載する。次に、図５、６に示すように２つの回動部材２４をそれぞれ内側に回動させ、切り欠き（窪み）２０３が突起２５と係合するまで、回動部材２４を回動させる。
【００２５】
そして、内部ケース２０を外部ケース３０に挿入すると、前述したように爪２３２が固定用溝５２と係合してロックされると共に、回動部材２４は外部ケース３０の内面に規制されて回動不能となり、突起２７が固定用ネジ孔７１から抜けることがなくなるので、ハードディスク７０が確実に保持される。
【００２６】
ハードディスクを取り外す場合には、まずノブ２０２をスライドさせながら背面を押して内部ケース２０を外部ケース３０から引き抜く。次に２つの回動部材２４をそれぞれ外側に回動させる。そして、ハードディスク７０を取り出す。以上のような構成によって、工具等を使用せずにハードディスクを簡単に収納したり取り出すことができる。
【産業上の利用可能性】
【００２７】
本考案はパソコン用のハードディスク用ケースとして利用可能である。
【図面の簡単な説明】
【００２８】
【図１】本考案によるハードディスク用ケースの構成を示す斜視図である。
【図２】内部ケースに印刷配線基板を取り付けた状態を示す斜視図である。
【図３】外部ケースに内部ケースを挿入した状態を示す斜視図である。
【図４】本考案によるハードディスク用ケースの内部ケースの構成を示す断面図である。
【図５】ハードディスクを収納して回動部材２４を途中まで回動させた状態を示す断面図である。
【図６】回動部材２４を最後まで回動させてハードディスク７０を固定した状態を示す断面図である。
【図７】外部ケース３０への内部ケース２０の固定機構を示す断面図である。
【符号の説明】
【００２９】
１０…ハードディスク用ケース
２０…内部ケース
２０１…開口部
２０２…ノブ
２１…底部
２２…パネル
２４…回動部材
３０…外部ケース
４０…印刷配線基板
４２…外部コネクタ
６０…電動ファン
７０…ハードディスク装置
【図１】
0003128981.tif 000003
【図２】
0003128981.tif 000004
【図３】
0003128981.tif 000005
【図４】
0003128981.tif 000006
【図５】
0003128981.tif 000007
【図６】
0003128981.tif 000008
【図７】
0003128981.tif 000009